(57)【特許請求の範囲】
【請求項１】
第１のレンズユニットと、第２のレンズユニットと、該第２のレンズユニットが上記第１のレンズユニットに対して光路内で所定の軌跡を描くように案内し、倍率切換および焦点調節を交互に行うようにした可変焦点カメラにおいて、中心軸が光軸となる円筒形状のキー環と、中心軸が光軸となると共に光軸に沿う方向については上記キー環と一体化し、光軸の周りの方向については上記キー環と相対回動が可能な円筒形状のカム胴とを設け、上記第２のレンズユニットの案内手段を、上記キー環に設けられ、光軸に対し直角方向に伸びる垂直部と、光軸と平行に伸びる平行部とを有するキー溝と、上記カム胴に設けられ光軸に対し斜めに伸びる斜部を有し上記キー溝と組み合わさって上記倍率切換と上記焦点調節を行うカム溝と、このカム溝と上記キー溝に同時に係合し、かつ案内される第２のレンズユニットを保持する保持手段とで構成し、上記保持手段は、上記キー溝の垂直部と上記カム溝の斜部に同時に係合可能とされ、この係合時には、上記保持手段は、上記カム胴の回動により上記斜部に沿って光軸方向に移動することで倍率を変更しようとするが上記垂直部によってその光軸方向の移動が阻止され、上記斜部で停止し、倍率切換ではなく焦点調節可能とされ、また上記保持手段は、上記キー溝の平行部と上記カム溝の斜部に同時に係合可能とされ、この係合時には、上記保持手段は、上記斜部に沿って光軸方向に移動し、倍率が変更可能とされることを特徴とする可変焦点カメラ。
【請求項２】
前記キー環をカメラ本体に対し回転不能かつ光軸方向に沿って摺動可能としたことを特徴とする請求項１記載の可変焦点カメラ。
【請求項３】
前記カム溝は、前記斜部から光軸に対し直角方向に伸びる垂直部を有し、前記保持手段は、前記キー溝の平行部と前記カム溝の上記垂直部に同時に係合可能とされることを特徴とする請求項１または２記載の可変焦点カメラ。
【発明の詳細な説明】
【０００１】
【発明の属する技術分野】
本発明は、焦点調節動作と倍率切換動作とを同一の駆動機構によって行う可変焦点カメラに関するものである。
【０００２】
【従来の技術】
従来、可変焦点カメラにおける撮影レンズの移動は、図７に示す如く行われている。すなわち、図７において矢印Ａ，Ｂは、横軸をレンズの移動量、縦軸をレンズを移動させるズームリングの回転角とした時の各レンズ群の移動経過を示している。そして、撮影画像は、凸レンズユニット４１、絞り兼用シャッター４２、凹レンズユニット４３を通過し、撮影画面４４に合焦される。
【０００３】
ここで、焦点距離を変化させる為に上記ズームリングを公知の駆動源により回動させると、その回動により、公知のヘリコイドあるいは円筒型カム等の手段により凸レンズユニット４１および凹レンズユニット４３が、それぞれ矢印ＡおよびＢのような軌道を描いて動く。このように倍率調整をした後にレリーズ動作を行うと、公知のＡＦ機構によって測距が行われ、その機構に基づいて、レンズのピント調節が行われるが、その時は凸レンズユニット４１、絞り兼用シャッター４２および凹レンズユニット４３を一体的に動かさねばならない。この場合、別の駆動系を使って一体に動かすか、あるいは付勢されたバネ等に従って全体を繰出するような動作が必要となる。
【０００４】
前者の別の駆動系を使用する場合は、別の駆動源や別の駆動系が必要となり、カメラ全体が大きくなってしまうばかりか、コスト高の原因となる。後者のバネを使用する場合でも、例えば巻き上げ動作に連動したレンズ鏡筒のチャージ機構が必要となり、前者と同様の結果となっている。
【０００５】
このような問題を解消するために、同一の駆動機構によって変倍と焦点調節を行うものが、特開昭６１ー２５９２１０や特開昭６３ー２８７８３３等によって開示されている。ここで、特開昭６３ー２８７８７３は、短焦点距離（以下、ＷＩＤＥという。）と長焦点距離（以下、ＴＥＬＥという。）の両位置での焦点調節のみを行うものである。また、特開昭６１ー２５９２１０は、２位置のみならず他の位置でも合焦を行うようにしている。すなわち、この特開昭６１ー２５９２１０は、撮影レンズの移動を模式化した図８に示すように、凸レンズユニット５１、絞り兼用のシャッター羽根５２、凹レンズユニット５３、撮影画面５４からなる。そして、上側に描かれている図がＷＩＤＥ状態でレンズピントが∞に合っている状態の図で、下側がＴＥＬＥ状態で、レンズピントが最至近に合っている状態を示す。また、その中間に示されている矢印Ｃ〜Ｈは、右側に描かれているズームリングの各回転角に対する各レンズユニット５１，５３の光軸上の位置を表している。すなわち、矢印Ｃ〜Ｈは横軸をレンズの移動量、縦軸をズームリングの回転角とした時の各レンズ群の移動経過（軌跡）を示すものである。
【０００６】
まず、上図のＷＩＤＥでレンズピントが∞に合っている状態よりズームリングを３０°回転させると凸レンズユニット５１、シャッター５２および凹レンズユニット５３が図８のように一体的に移動する。このため、矢印Ｄの間は撮影レンズ系の倍率に変化はなく、ズームリングの回転により、ＷＩＤＥ状態のままピントの調整が行われ、３０°の位置でレンズピントが最至近距離に合う状態となる。撮影者がもう少し倍率を上げたいということで、ノーマル（以下、ＮＯＭという。）モードに切換えるとズームリングは９０°から１３５°の間で測距情報に基づいた位置に停止する。
【０００７】
すなわち、ズームリングの回転が９０°の所に来るとＮＯＭ状態（ＴＥＬＥとＷＩＤＥの中間倍率の状態）で∞にピントが合ったレンズ位置となる。この状態からさらにズームリングを回転させると、ＷＩＤＥのときと同様に４５°の間はレンズ系が全体繰出しとなってＮＯＭ状態のままピント調整が行われる。ＴＥＬＥの時も同様にズームリングを１８０°回転させると、ＴＥＬＥでレンズピントが∞に合う位置まで来て、さらにズームリングを回動させると、ＴＥＬＥ状態のまま近距離にピントが合うようなレンズ位置となる。よって、このような構成にすると、単一のズームリングを回転させるのみで、倍率調整もピント調整も行える。
【０００８】
【発明が解決しようとする課題】
このように、焦点調節と倍率切換を同一駆動機構によって行う可変焦点カメラにおいては、焦点調節可能な変倍位置を多くとろうとすると、図８に示されるように、切換段数を多くしなければならない。しかしながら、図８に示す従来の機構では、切換段数を多くしようとすると、凹レンズユニット５３（後群レンズ）を駆動するためのカム溝、すなわち矢印Ｄ〜Ｈの長さを長くする必要がある。カム溝を長くすると、カム溝が形成されるズームリング等のカム胴の強度が弱くなり、カム胴の変形等の不良が生じやすくなる。
【０００９】
本発明は、カム胴のカム溝を長くすることなく、すなわち、カム胴の強度を弱めずに切換段数を多く取れる可変焦点カメラを提供することを目的とする。
【００１０】
【課題を解決するための手段】
かかる目的を達成するため、請求項１記載の発明では、第１のレンズユニットと、第２のレンズユニットと、該第２のレンズユニットが第１のレンズユニットに対して光路内で所定の軌跡を描くように案内し、倍率切換および焦点調節を交互に行うようにした可変焦点カメラにおいて、中心軸が光軸となる円筒形状のキー環と、中心軸が光軸となると共に光軸に沿う方向についてはキー環と一体化し、光軸の周りの方向についてはキー環と相対回動が可能な円筒形状のカム胴とを設け、第２のレンズユニットの案内手段を、キー環に設けられ、光軸に対し直角方向に伸びる垂直部と、光軸と平行に伸びる平行部とを有するキー溝と、カム胴に設けられ光軸に対し斜めに伸びる斜部を有し上記キー溝と組み合わさって上記倍率切換と上記焦点調節を行うカム溝と、このカム溝とキー溝に同時に係合し、かつ案内される第２のレンズユニットを保持する保持手段とで構成し、保持手段は、キー溝の垂直部とカム溝の斜部に同時に係合可能とされ、この係合時には、保持手段は、カム胴の回動により斜部に沿って光軸方向に移動することで倍率を変更しようとするが垂直部によってその光軸方向の移動が阻止され、斜部で停止し、倍率切換ではなく焦点調節可能とされ、また保持手段は、キー溝の平行部とカム溝の斜部に同時に係合可能とされ、この係合時には、保持手段は、斜部に沿って光軸方向に移動し、倍率が変更可能とされている。
【００１１】
また、請求項２記載の発明では、請求項１記載の可変焦点カメラにおいて、キー環をカメラ本体に対し回転不能かつ光軸方向に沿って摺動可能としている。さらに、請求項３記載の発明では、請求項１または２記載の可変焦点カメラにおいて、カム溝は、斜部から光軸に対し直角方向に伸びる垂直部を有し、保持手段は、キー溝の平行部とカム溝の垂直部に同時に係合可能とされている。
【００１２】
本発明の可変焦点カメラでは、第１のレンズユニットと第２のレンズユニットとを同一の駆動機構によって動作させ焦点調節と倍率切換とを行っている。すなわち、第２のレンズユニットを第１のレンズユニットに対し光路内で所定の軌跡を描くように案内し、焦点調節と倍率切換とを行っている。そして、第２のレンズユニットの案内手段の一部を、カム胴に設けられるカム溝と、キー環に設けられるキー溝とで分担分けして形成している。このため、切換段数すなわち、焦点調節可能な変倍位置を多くしても、カム溝が長くなることはなく、カム胴の強度を十分保つことができる。
【００１３】
【発明の実施の形態】
以下、本発明の実施の形態の例を図１から図６に基づき説明する。
【００１４】
この可変焦点カメラの鏡胴部分は、カメラ本体（図時省略）に固定される固定胴１と、この固定胴１の内周に配置され固定胴１に対し回転可能かつ光軸方向に摺動可能なカム胴と、このカム胴２に一体に取り付けられた第１移動枠３およびギア体４と、カム胴２の内周に配置され固定胴１に対し回転不能とされかつ光軸方向に摺動可能な第２移動枠５と、この移動枠５の内周に配置され固定胴に対し回転不能とされかつ光軸Ｍの方向に沿って摺動可能なキー環６と、移動枠５と共に光軸Ｍの方向に沿って移動する第１のレンズユニットとなる前群レンズ７およびシャッターユニット８と、第２のレンズユニットとなる後群レンズ９と、この後群レンズ９を保持し光軸Ｍに沿って回転移動する保持手段となるコマ１０とから主に構成される。なお、撮影対象物の画像は、撮影画面Ｐに焦点合わせされる。
【００１５】
そして、円筒形の固定胴１には、螺旋状のヘリコ（螺合ネジ）１１がその内周に設けられ、ギア体４に設けられたヘリコ１２と螺合している。なお、この固定胴１の撮影対象側と反対側には、開口部（図示省略）が設けられ、カメラ本体側の駆動機構（図示省略）が入り込みギア体４のギアと噛合している。
【００１６】
カム胴２は円筒形状で、前述したように、第１移動枠３およびギア体４を一体に有している。また、カム胴２の内周には、螺旋状のヘリコ１３が設けられ、第２移動枠５の外周に設けられたヘリコ１４と螺合している。さらに、このカム胴２の内周面には、図５に示すような後群レンズ９の駆動用のカム溝１５が３本設けられている。そして、このカム溝１５にコマ１０の先端１０ａが貫入している。なお、このカム溝１５は、撮影画面側のＷＩＤＥ部１５ａと、ＷＩＤＥ部１５ａから斜めに伸びる第１斜部１５ｂと、この第１斜部１５ｂから光軸Ｍと直角に伸びる垂直部１５ｃと、この垂直部１５ｃから斜めに伸びる第２斜部１５ｄと、この第２斜部１５ｄの撮影対象側に位置するＴＥＬＥ部１５ｅとから構成されている。なお、この実施の形態におけるカム胴２の直径は約３４mmとなっている。
【００１７】
第一移動枠３も円筒形状とされ、カム胴２に一体に取り付けられ、カム胴２と共に回転しながら光軸Ｍに沿って摺動する。また、ギア体４も同様にカム胴２に一体に取り付けられ、そのギアがカメラ本体側の駆動機構（図示省略）と噛合し、その駆動機構の駆動力を受けて、カム胴２を回転させながら光軸Ｍに沿って移動させる。
【００１８】
また、円筒形状の第２移動枠５には、上述したようにヘリコ１４が外周の一部に設けられ、カム胴２の内周のヘリコ１３と螺合している。また、この第２移動枠５には、前群レンズ７およびシャッターユニット８を保持する前方枠１６と内方枠１７とが設けられている。さらに、第２移動枠５には、キー環６の２本のガイド溝１８，１８に嵌合する突起１９が内周部に２個設けられている。なお、このガイド溝１８は、第２移動枠５を回転させないようにするためのものである。
【００１９】
そして、キー環６も円筒形状とされ、その撮影対象側が第２移動枠５の内周に通されている。そして、そのキー環６のはかま部２０の外周にギア体４が回動可能に係合している。また、このキー環６には、後群レンズ９を駆動するためのキー溝２１が３本設けられ、それぞれにコマ１０が貫通し、各キー溝２１に沿って移動するようになっている。また、このキー環６の一部は、固定胴１に設けられたガイドレール（図示省略）に嵌合し、このキー環６が回転しないようにされている。なお、この実施の形態におけるキー環６の直径は約３０mmとなっている。
【００２０】
キー溝２１は、図４に示すように、鏡胴がすべてカメラ本体内に納められる沈胴部２１ａと、この沈胴部２１ａから光軸Ｍに対し垂直方向に伸びる第１垂直部２１ｂと、この第１垂直部２１ｂの一端に位置するＷＩＤＥ部２１ｃと、第１垂直部２１ｂから光軸Ｍと平行に伸びる第１平行部２１ｄと、この第１平行部２１ｄから光軸Ｍに対し垂直方向に伸びる第２垂直部２１ｅと、この第２垂直部２１ｅから光軸Ｍと平行に伸びる第２平行部２１ｆと、この第２平行部２１ｆから光軸Ｍに対し垂直方向に伸びる第３垂直部２１ｇと、この第３垂直部２１ｇから光軸Ｍと平行に伸びる第３平行部２１ｈと、この第３平行部２１ｈから光軸Ｍに対し垂直方向に伸びる第４垂直部２１ｉと、この第４垂直部２１ｉの第３平行部２１ｈ側端部に位置するＴＥＬＥ部２１ｊとから構成される。ここで第１平行部２１ｄ，第２平行部２１ｆおよび第３平行部２１ｈが倍率変換動作の一部を構成し、第１垂直部２１ｂ，第２垂直部２１ｅ，第３垂直部２１ｇおよび第４垂直部２１ｉが焦点調節動作の一部を構成している。
【００２１】
前群レンズ７は、３枚の凸レンズから構成されている。また、シャッターユニット８は、前群レンズ７の回りを囲むように配置され、シャッターユニット８内のシャッター８ａが前群レンズ７と後群レンズ９との間に配置される。後群レンズ９は、２枚の凹レンズから構成され、その２枚の凹レンズを保持する枠にコマ１０が嵌合し、このコマ１０と一体的に移動する。コマ１０は、キー環６のキー溝２１を貫通すると共に円錐状の先端１０ａがカム溝１５に貫入している。なお、シャッターユニット８にピント調節用ネジ８ｂを設け、前群レンズ７を保持する保持体２２に設けたネジ２２ａに係合させている。
【００２２】
以上のように構成される可変焦点カメラの鏡胴の動作は、次のとおりである。すなわち、まず外部の駆動機構（図示省略）からの駆動力が固定胴１の開口部を通してギア体４に伝達される。なお、この伝達方法は、特開平５ー９３８３５等に開示される公知の伝達構造等が採用される。
【００２３】
ギア体４が回転すると、ギア体４と一体のカム胴２が回転する。このギア体４とカム胴２が回転すると、ギア体４のヘリコ１２が固定胴１の螺旋状のヘリコ１１と螺合しているため、カム胴２は光軸Ｍに沿って摺動する。
【００２４】
カム胴２の回転力は、カム胴のヘリコ１３および第２移動枠５のヘリコ１４を介して第２移動枠５を回転させようとする。しかし第２移動枠５は、キー環６のガイド溝１８に突起１９が嵌合することにより回転を阻止されているため、カム胴２の回転によってガイド溝１８に沿って光軸Ｍと同一方向に移動する。なお、この第２移動枠５の移動量は、カム胴２の移動量がプラスされた移動量となる。
【００２５】
一方、キー環６は、その一部が固定胴１のガイドレール（図示省略）に嵌合しているため、固定胴１に対して回転できない。しかし、カム胴２が回転することによりカム胴２と共に光軸Ｍに沿って摺動することになる。
【００２６】
このように、第２移動枠５が光軸Ｍに沿って移動するため、第２移動枠５と一体の前群レンズ７も、カム胴２の回転に伴い光軸Ｍに沿って逐次移動する。一方、後群レンズ９も、カム胴２が回転する間、カム溝１５とキー溝２１によって案内されながら移動するが、図４に示されるように光軸Ｍと同一方向への移動が停止する領域を有するものとなる。但し、厳密には、キー環６自体がカム胴２と共に移動するため、カム胴２の移動量だけ移動する。なお、今後、このような状態すなわち、キー溝２１やカム溝１５によって、後群レンズ９の光軸Ｍに沿っての移動が停止される状態を「停止状態」と呼ぶこととする。
【００２７】
このような停止状態と前進動作を繰り返す後群レンズ９の移動の様子を、図４，図５および図６に基づいて説明する。最初、コマ１０がカム溝１５のＷＩＤＥ部１５ａおよびキー溝２１の沈胴部２１ａに存在するとする。この後、カム胴２を回転させ、前群レンズ７を撮影対象側に前進させる。このとき、コマ１０は、キー溝２１の第１垂直部２１ｂに案内されるため、カム溝１５のＷＩＤＥ部１５ａの位置を保持したまま、キー溝２１のＷＩＤＥ部２１ｃにもたらされる。このため、この間の後群レンズ９は、キー環６に対し停止し停止状態となる。なお、厳密には、後群レンズ９は、カム胴２の移動分だけ撮影対象側に前進する。一方、前群レンズ７は、カム胴２の回転によりカム胴２に対し前進させられるため、前群レンズ７と後群レンズ９との間隔はわずかに拡大していく。
【００２８】
この後、カム胴２の回転により前群レンズ７はさらに前進する。一方、後群レンズ９は、停止状態を維持し、ＷＩＤＥ位置での焦点調節が行われる。すなわち、カム溝１５のＷＩＤＥ部１５ａおよびキー溝２１のＷＩＤＥ部２１ｃにもたらされたコマ１０は、その後、ＷＩＤＥ位置での焦点調節（合焦動作）を行うこととなる。この焦点調節は、コマ１０がＷＩＤＥ部２１ｃからキー溝２１の第１平行部２１ｄの部分までの間で行われる（図６のＡ部）。その後、コマ１０は第１平行部２１ｄにもたらされ、コマ１０は、カム胴２の回転によりカム溝１５の第１斜部１５ｂに沿って急激に前進していく。この結果、前群レンズ７と後群レンズの間隔が急激にせばまり変倍動作が行われる（図６のＢ部）。
【００２９】
その後、コマ１０が第１斜部１５ｂの中間当たりの第２位置３１にくると、この位置はキー溝２１では、第２垂直部２１ｅの一端の第２位置３２となり、コマ１０の前進は再度停止状態となる。一方、カム胴２の回転は継続されており、前群レンズ７の前進は継続される。このカム胴２の回転の際、コマ１０は、カム溝１５では、第２位置３１で保持されるが、キー溝２１内では第２垂直部２１ｅ内を移動し他端側へもたらされる。この間では、前群レンズ７と後群レンズ９との間の距離が徐々に拡大し、焦点調節が行われる（図６のＣ部）。
【００３０】
第２垂直部２１ｅの他端にもたらされたコマ１０は、その後、キー溝２１の第２平行部２１ｆに案内され、急激に前進する。このため、前群レンズ７と後群レンズ９との間隔が急激に変わっていき、変倍動作が行われる（図６のＤ部）。そして、コマ１０がカム溝１５の垂直部１５ｃの第３位置３３にくると、コマ１０は、カム胴２の回転にもかかわらず前進できず、後群レンズ９は停止状態となる。このため、前群レンズ７と後群レンズ９との間の距離は徐々に拡大し焦点調節が行われる（図６のＥ部）。なお、このときコマ１０のキー溝２１内の位置は、図４に示すように第３位置３４となっている。そして、コマ１０が垂直部１５ｃから第２斜部１５ｄに移ると、コマ１０も急速に前進可能となり、変倍動作が可能となる（図６のＦ部）。
【００３１】
コマ１０がカム溝１５の第２斜部１５ｄの中間当たりの第４位置３５にくると、すなわち、キー溝２１の第４位置３６にくるとキー溝２１の第３垂直部２１ｇにより、その前進が停止させられ、停止状態となり焦点調節が行われる（図６のＧ部）。そして、コマ１０が第３垂直部２１ｇから第３平行部２１ｈにもたらされると、コマ１０は急速な前進が可能となり変倍動作が行われる（図６のＨ部）。
【００３２】
そして、コマ１０がキー溝２１のＴＥＬＥ部２１ｊにくると、変倍動作は終了する。そして、さらにカム胴２を回転させることにより、コマ１０は、キー溝２１の第４垂直部２１ｉの最深部の方向に動いて焦点調節を行う（図６のＩ部）。
【００３３】
以上のようにして、ＷＩＤＥからＴＥＬＥまでの変倍動作と各変倍位置での焦点調節が同一機構内で行われる。ここで、図６に示す後群レンズ９の光軸Ｍ上の位置を示す線において、Ｂ部，Ｄ部，Ｆ部およびＨ部が倍率切換部分となり、Ａ部，Ｃ部，Ｅ部，Ｇ部およびＩ部が焦点調節部分となっている。なお、シャッターユニット８のピント調節用ネジ８ｂと保持体２２のネジ２２ａとの係合を調節することによって、キー溝２１の各垂直部２１ｂ，２１ｅ，２１ｇ，２１ｉの長さが最小限となるようにしている。すなわち、∞の位置に対して、例えば第２位置３２にコマ１０が来る様に調節している。
【００３４】
以上のような実施の形態では、焦点調節を行う第２の案内手段が合計５ヶ所形成されるにも拘わらず、カム胴２のカム溝１５には、１つの切換段数のみが形成されることとなる。このため、カム胴２が、カム溝１５の形成によって、強度が弱くなってしまうという問題が生じない。しかも、カム溝１５に一つの切換段部を形成したので、そのような切換段部を全く形成しない場合に比べ、キー環６側のキー溝２１を短くできるので、キー環６の強度もそれほど落ちることはない。
【００３５】
なお、上述の実施の形態は、本発明の好適な実施の形態の例であるが、これに限定されるものではなく、本発明の要旨を逸脱しない範囲において、種々変形実施可能である。例えば、カム溝１５に垂直部１５ｃを設けず、全体を斜部のみとすることができる。その場合、上述の実施の形態と同じ切換段数を形成しようとすると、キー溝２１には、光軸Ｍに対し垂直に伸びる垂直部をさらに１個加える必要が生ずる。一方、カム溝１５に垂直部１５ｃに相当する複数の垂直部を設けるようにしても良い。このようにするとキー環６のキー溝２１が短くなりキー環６の強度にとっては好ましいものとなる。
【００３６】
また、カム溝１５，キー溝２１およびコマ１０をそれぞれ３個ではなく、１個や２個としたり、時には４個としたりしても良い。ただし、カム胴２やキー環６の強度やバランスを考慮すると、各３個ずつが好ましい。さらに、前群レンズ７の移動をカム胴２の回転を利用せず、別の駆動機構で動作させたり、ギア体４から直接駆動されるようにしたりしても良い。
【００３７】
以上説明したように、請求項１および２記載の可変焦点カメラでは、光軸に沿う方向に関してカム胴と一体化されたキー環に設けたキー溝と、キー環に対し相対回動するカム胴に設けたカム溝とを組み合わせて、第２のレンズユニットを案内している。このため、カム溝を長くすることなく、切換段数を増加させることができる。この結果、カム胴の強度を落とすことなく、多数の変倍位置で焦点調節動作を行える可変焦点カメラを得ることができる。
【００３８】
また、請求項３記載の発明では、カム溝の一部に、光軸に対し直角方向に伸びる垂直部を配置することで、カム溝側にも焦点調節動作用の案内溝が設けられることになるので、キー溝が形成されるキー環の強度の減少も阻止することができる。この結果、カム胴もキー環も適度な強度を保持した可変焦点カメラとでき、信頼性の高いカメラとすることができる。
【図面の簡単な説明】
【図１】本発明の可変焦点カメラの鏡胴部分の要部断面図で、ＷＩＤＥ状態を示している図である。
【図２】本発明の可変焦点カメラの鏡胴部分の要部断面図で、ＴＥＬＥ状態を示している図である。
【図３】図１および図２に示す可変焦点カメラに使用されるキー環部分の断面図である。
【図４】図１および図２に示す可変焦点カメラに使用されるキー環の展開図で、天面を０°として示した図である。
【図５】図１および図２に示す可変焦点カメラに使用されるカム胴の展開図で、天面を０°として示した図である。
【図６】図１および図２に示す可変焦点カメラ内の第１および第２のレンズユニットの光軸上の位置の変化を示す図である。
【図７】従来の撮影レンズの一般的な動きを示す模式図である。
【図８】従来の、変倍と焦点調節を同一駆動機構によって行う撮影レンズの動きを示す模式図である。
【符号の説明】
１  固定胴
２  カム胴
３  第１移動枠
４  ギア体
５  第２移動枠
６  キー環
７  前群レンズ（第１のレンズユニット）
８  シャッターユニット
９  後群レンズ（第２のレンズユニット）
１０  コマ（保持手段）
１５  カム溝
２１  キー溝
【図１】
0003776157.tif 000002
【図２】
0003776157.tif 000003
【図３】
0003776157.tif 000004
【図４】
0003776157.tif 000005
【図５】
0003776157.tif 000006
【図６】
0003776157.tif 000007
【図７】
0003776157.tif 000008
【図８】
0003776157.tif 000009